(57)【特許請求の範囲】
【請求項１】
火災受信機の操作スイッチ、上記火災受信機に接続され、火災受信機に信号を送出する端末機器および火災受信機から制御されると共に火災受信機に信号を送出する端末機器の状態に関連した火災受信機の状態情報を外部に報知する火災警報装置であって、
リレー用途データおよび連動制御データの移報情報を予め記憶する記憶手段と、該記憶手段からの移報情報と上記操作スイッチおよび上記端末機器からの状態を表す信号とが一致したとき対応する制御指令を発生する第１のＭＰＵと、からなる第１の制御手段と、
少なくとも上記移報情報に関連した複数の移報接点と、上記第１の制御手段からの制御指令に応じて対応する移報接点を選択し、当該移報接点を閉じて外部に移報情報を報知する第２のＭＰＵと、該第２のＭＰＵの出力に基づいて上記移報接点の開閉を制御するように付勢される複数のリレーと、からなる第２の制御手段と、
を上記火災受信機に搭載したことを特徴とする火災警報装置。
【請求項２】
上記移報情報は、上記移報接点に対して任意に選択設定可能である請求項１に記載の火災警報装置。
【発明の詳細な説明】
【０００１】
【発明の属する技術分野】
この発明は、火災警報装置に関し、特に、例えば、中継器（火災感知器が接続された監視用中継器、防火戸等の端末機器が接続された制御用中継器、監視兼制御用中継器）や、アナログ式火災感知器、アドレス付き火災感知器等の複数の端末機器等から受信した火災受信機の状態情報を遠隔に移報（信号等を伝達すること）して表示し、監視することができる火災警報装置に関する。
【０００２】
【従来の技術】
一般に火災警報装置に含まれる火災受信機は、その状態情報を遠隔に移報するのに、各機能毎に対応する接点を有しているが、その接点を開閉するのに専用のリレーを用い、その専用のリレーを閉じることにより、その状態情報を遠隔に移報するようにしている。
また、火災地区別移報についても、同様に移報接点を有し、専用のリレーを用いている。
【０００３】
【発明が解決しようとする課題】
ところで、従来の火災警報装置では、上述のごとく各機能毎に対応する接点を設け、さらにこれらの接点に対して個々に専用のリレーを用いるので、装置が複雑で大型となり、またコスト的にも高価になる等の問題点があった。
【０００４】
この発明は、このような問題点を解決するためになされたもので、火災受信機の状態情報を遠隔に移報するのに、各機能毎に対応する接点やこの接点に個別に専用のリレーを用いることなく、１組の移報接点とリレーを各機能に応じて選択的に用いることで、装置の構成の簡略化、コストの低廉化を図ることができる火災警報装置を提供することを目的とする。
【０００５】
【課題を解決するための手段】
この発明に係る火災警報装置は、火災受信機の操作スイッチ、上記火災受信機に接続され、火災受信機に信号を送出する端末機器および火災受信機から制御されると共に火災受信機に信号を送出する端末機器の状態に関連した火災受信機の状態情報を外部に報知する火災警報装置であって、リレー用途データおよび連動制御データの移報情報を予め記憶する記憶手段と、この記憶手段からの移報情報と操作スイッチおよび端末機器からの状態を表す信号が一致したとき対応する制御指令を発生する第１のＭＰＵと、からなる第１の制御手段と、少なくとも移報情報に関連した複数の移報接点と、第１の制御手段からの制御指令に応じて対応する移報接点を選択し、当該移報接点を閉じて外部に移報情報を報知する第２のＭＰＵと、この第２のＭＰＵの出力に基づいて移報接点の開閉を制御するように付勢される複数のリレーと、からなる第２の制御手段と、を上記火災受信機に搭載したものである。
【０００６】
また、移報情報は、移報接点に対して任意に選択設定可能である。
【０００７】
【発明の実施の形態】
以下、この発明による火災警報装置の一実施の形態を図を参照しながら説明する。
図１は、この発明による火災警報装置の一実施の形態を概略的に示す構成図である。
図において、１はリレー用途データや連動制御データ等の移報情報が予め記憶されているデータベースである記憶手段としての例えばＩＣカードである。
移報情報としては、リレー用途データとして例えば音響停止スイッチのように通常はオフ状態でないといけないところをオン状態にあるときにその注意を外部に喚起するため対応する表示灯を点灯させるための「ＳＷ注意」データ、地区ベルを駆動させるための「ベル機能」データ、停電時やＡＣ電源スイッチのオフ時バッテリで作動していることを知らせるための「ＡＣ断」データ、火災感知器が作動していることを知らせるための「火災代表」データ、火災発生時に連動させる機能を遮断する「連動遮断」データ等が含まれる。
【０００８】
また、連動制御データとして例えば火災感知器が作動したとき、これに連動して消火栓のポンプを起動させたり、防火戸を閉めさせたりする「連動移報」データや、例えばある火災感知器が発報したら建物の１階で非常放送をさせ、別な火災感知器が発報したら２階で非常放送をさせるための「非常放送連動」データ等が含まれる。
【０００９】
２は第１の制御手段としての主制御装置であって、この主制御装置２はＩＣカード１からの移報情報を読み出して、後述されるように移報接点の開閉に関連した制御情報を発生する等主制御に関連した作業を行うのに使用される第１のＭＰＵ（マイクロプロセッサユニット）２１と、後述される図２に示すようなフローチャートに関連したプログラム等が予め格納されたＲＯＭ（リードオンリメモリ）と、ＭＰＵ２１がＩＣカード１から読み出した移報情報を一時的に記憶したり、演算処理の際に一時的にデータを書き込み、読み出しする等ワーキングメモリとして使用されるＲＡＭ（ランダムアクセスメモリ）２３とを備える。
【００１０】
３は第２の制御手段としての主制御装置２に接続され、この主制御装置２からの制御情報に基づいて、内部に含まれる移報接点等を制御する副制御装置である。
この副制御装置３は、主制御装置２のＭＰＵ２１に接続され、このＭＰＵ２１からの制御情報に基づいて後述の複数個のリレーを付勢する第２のＭＰＵ３１と、このＭＰＵ３１に接続された複数個のリレー３２1，３２2・・・３２nと、これら複数個のリレー３２1，３２2・・・３２nによりそれぞれその開閉を制御される移報接点３３1，３３2・・・３３nとを備える。
【００１１】
なお、移報接点３３1は、例えば後述の個別専用制御機器をオプションスイッチの操作に関連して制御させるための移報接点であり、移報接点３３2・・・３３k（図示せず）は後述の火災表示機の火災代表の表示やＳＷ注意の表示等の用途でそれぞれ別々に設けられた移報接点であり、また、３３k-1・・・３３nは後述の非常放送装置の非常放送地区を指示する信号を発生するための移報接点である。
４はＭＰＵ２１に接続された火災受信機の各種の操作スイッチ、例えば上述のオプションスイッチや音響停止スイッチ等である。
オプションスイッチはユーザーの仕様に合わせてそのスイッチの機能を自由に設定できるもので、例えば個別に連動したい個別専用制御機器を連動または起動させる個別専用連動スイッチであり、この個別専用連動スイッチとしては例えばＣＯ2消火設備を起動するＣＯ2連動制御盤を個別に制御するためのＣＯ2連動スイッチである。
なお、これらＩＣカード１、主制御装置２および副制御装置３は、操作スイッチ４と共に火災受信機側に設けられている。
【００１２】
５は火災受信機より遠隔に設けられ、火災受信機内の主制御装置２のＭＰＵ２１に図示しないインタフェースを介して接続された端末機器である。この端末機器５としては、火災受信機に信号を送出する端末機器、火災受信機から制御される端末機器および火災受信機から制御されると共に火災受信機に信号を送出する端末機器がある。
火災受信機に信号を送出する端末機器としては、例えば監視用中継器、ガス漏れ用中継器、アナログ式火災感知器(光電式、イオン化式、熱式等)、通常型の火災感知器(光電式、イオン化式、差動式、定温式等）、ガス漏れ検知器および発信機等が考えられ、火災受信機から制御される端末機器としては、例えば地区ベルが考えられ、また、火災受信機から制御されると共に火災受信機に信号を送出する端末機器としては、例えば防火戸の閉鎖装置や排煙ダンパの開放装置等が考えられる。
６は同じく火災受信機より遠隔に設けられ、火災受信機内の副制御装置３の例えば移報接点３３1に接続された個別専用制御機器、例えばＣＯ2連動制御盤である。
【００１３】
７は同じく火災受信機より遠隔に設けられ、火災受信機内の副制御装置３の例えば移報接点３３2・・・３３kに接続された火災表示機であって、これには上述した「ＳＷ注意」や「火災代表」の表示が含まれる。
８は同じく火災受信機より遠隔に設けられ、火災受信機内の副制御装置３の例えば移報接点３３k-1・・・３３nに接続され、非常放送地区信号を発生する非常放送装置である。
そして、本実施の形態では、ＩＣカード１に予め記憶される移報情報は、移報接点３３1，３３2・・・３３nに対して任意に選択設定可能である。従って、主制御装置２のＭＰＵ２１は任意に選択設定された移報情報に応じた制御指令を副制御装置３のＭＰＵ３１に出力して、対応するリレーを介して当該移報接点の開閉を制御させることになる。勿論その設定の割り振りも必要に応じて任意に変更できるものである。
【００１４】
次に、動作について、図２を参照して説明する。
先ず、初期化等のイニシャル処理を行い（ステップＳ１）、主制御装置２のＭＰＵ２１はＩＣカード１からリレー用途データや連動制御データ等の移報情報を読み込み（ステップＳ２）、この読み込んだデータをＲＡＭ２３に記憶する（ステップＳ３）。
次に、ステップＳ４において、端末機器５や火災受信機の操作スイッチ４等の状態に変化があるかどうかを判別する。端末機器５の状態変化としては例えば図示せずも火災感知器の火災発報、発信機の作動等の動作信号の発生が考えられ、また操作スイッチ４の状態変化としては例えば図示せずも火災受信機の盤面または盤内に各用途に応じて設けられたスイッチ、例えば音響停止スイッチ、連動遮断スイッチおよびＡＣ電源スイッチ等が通常の監視状態のときとは逆の状態にあるとき等が考えられる。
【００１５】
ステップＳ４で端末機器５や火災受信機の操作スイッチ４等の状態に変化があれば、ステップＳ５において、ＲＡＭ２３を参照してＩＣカード１から読み込んだリレー用途データや連動制御データ等の移報情報と、状態の変化があった操作スイッチ４または端末機器５の名称とが一致するかどうか、つまり、リレーを制御する必要があるかどうかを判別する。
リレーを制御する必要があれば、該当するリレーのリレー制御命令を移報情報として副制御装置３のＭＰＵ３１に送出する。
なお、ステップＳ４で端末機器や火災受信機の操作スイッチ等の状態に変化がない場合、また、ステップＳ５でリレーを制御する必要がない場合はいずれもステップＳ４の入力に戻って、待機状態に入る。
【００１６】
さて、副制御装置３のＭＰＵ３１は、主制御装置２のＭＰＵ２１より該当するリレーのリレー制御命令があるかどうかを判別し（ステップＳ７）、リレー制御命令がない場合はそのまま待機し、あった場合は、内部のリレー３２1，３２2・・・３２nの内から当該リレーを付勢し、移報接点３３1，３３2・・・３３nから対応する移報接点を閉じた後（ステップＳ８）、ステップＳ４の入力に戻って、待機状態に入る。
これにより遠隔に設けられた対応する表示器や非常放送装置等が駆動されてかかる端末機器５や火災受信機の操作スイッチ４等の状態の変化に対応した表示や非常放送等がなされる。
【００１７】
例えば、ＭＰＵ２１からの制御指令が「オプションスイッチ」に関するものである場合、リレー３２1を付勢して対応する移報接点３３1を閉じて移報情報が例えばＣＯ2連動制御盤である個別専用制御機器６に送られ、この個別専用制御機器６が制御される。
また、ＭＰＵ２１からの制御指令が「火災代表」に関するものである場合、リレー３２2を付勢して対応する移報接点３３2を閉じて移報情報が火災表示機７に供給されて、その選択された移報情報に対応する機能情報として火災代表表示がなされ、必要に応じてその内容がプリンタ（図示せず）でプリントアウトされる。
【００１８】
また、ＭＰＵ２１からの制御指令が「非常放送連動」に関するものである場合、ある火災感知器が発報したときはリレー３２k〜３２nの内の１つを付勢して対応する移報接点３３k〜３３nの内の１つを閉じてその移報情報を非常放送装置８に供給し、その非常放送装置８が設置されている建物の例えば１階で非常放送をさせ、一方、別な感知器が発報したらＭＰＵ３１はリレー３２k〜３２nの内の別な１つを付勢して対応する移報接点３３k〜３３nの内の別な１つを閉じて同じ建物の別な場所、例えば２階で非常放送をさせる。
【００１９】
このように、従来例えば「連動移報」に対してリレー３２1〜３２nと移報接点３３1〜３３ｎの１組、「非常放送連動」に対してリレー３２1〜３２nと移報接点３３1〜３３ｎの別の１組をと、各異なる機能の移報に対して、それぞれ１組のリレと移報接点を個別に設ける必要があったが、本実施の形態では、１組のリレーと移報接点を用いるだけで、これを移報情報の内容の相違、即ち移報の機能が変わる毎に１組のリレーと移報接点の中から任意のものにその機能の役割を振り分けて使用できるので、その分だけ装置の構成が簡単となり、また、コスト的にも安価なものとなる。
【００２０】
【発明の効果】
以上のように、この発明によれば、移報情報を予め記憶する記憶手段と、この記憶手段からの移報情報と操作スイッチおよび端末機器からの状態を表す信号が一致したとき対応する制御指令を発生する第１の制御手段と、少なくとも移報情報に関連した複数の移報接点を有し、第１の制御手段からの制御指令に応じて対応する移報接点を選択し、当該移報接点を閉じて外部に移報情報を報知する第２の制御手段とを備えたので、各機能毎に対応する接点やこの接点に個別に専用のリレーを用いることなく、１組の移報接点とリレーを各機能に応じて選択的に用いることで、装置の構成の簡略化、コストの低廉化を図ることができるという効果がある。
【００２１】
また、第１の制御手段は、記憶手段からの移報情報を読み出し、この移報情報に対応した制御指令を発生する第１のＭＰＵと、この第１のＭＰＵが読み出した移報情報を一時的に記憶するＲＡＭを有するので、移報情報の処理を効率よく行うことができるという効果がある。
また、第２の制御手段は、第１の制御手段からの制御指令を受ける第２のＭＰＵと、この第２のＭＰＵの出力に基づいて移報接点の開閉を制御するように付勢される複数のリレーとを有するので、容易に且つ選択的に対応する移報接点の開閉を制御できるという効果がある。
また、移報情報は、移報接点に対して任意に選択設定可能であるので、各機能毎に対応する接点に専用のリレーが不要で、移報接点を各機能に応じて選択的に用いることができるという効果がある。
【図面の簡単な説明】
【図１】この発明に係る火災警報装置の一実施の形態を示す構成図である。
【図２】図１の動作説明に供するためのフローチャートである。
【符号の説明】
１  ＩＣカード、２  主制御装置、３  副制御装置、４  操作スイッチ、５  端末機器、６  個別専用制御機器、７  火災表示機、８  非常放送装置、２１，３１  ＭＰＵ、２３  ＲＡＭ、３２1〜３２n  リレー、３３1〜３３n  移報接点。
【図１】
0003750957.tif 000002
【図２】
0003750957.tif 000003